(57)【要約】      （修正有）【課題】地盤に設けた基礎体の上部に架台用梁材を介して太陽電池モジュール等を設置する際、基礎体の高さや傾き等の施工誤差を簡単な作業によって調整することができるようにした架台基礎用金具を提供する。【解決手段】専用調整金具３の上部支持板６に上載した架台用梁材５のフランジ側端部に各専用固定金具４の下面を当てて該フランジ面上を係止すると共に、夫々の専用固定金具の案内孔部に挿通した第１ボルト１５を専用調整金具の各第１孔部に挿通して架台用梁材の傾き調整を行った状態で締結することにより、複数の基礎体２の上部に架台用梁材を水平状態に固定するようにした。【選択図】図１
0003192327.tif 000002
【実用新案登録請求の範囲】
【請求項１】
地盤に設けた複数の基礎体の上部に専用調整金具を固定すると共に、専用調整金具に取り付けた専用固定金具で架台用梁材を固定するようにした架台基礎用金具において、
専用調整金具は、長片部材を短辺方向に鉤状に湾曲してなる上部支持板と、該上部支持板の長辺側から下方に垂下してなる側部支持板とから形成され、上部支持板には長辺方向の離間位置に長辺方向に長い一対の第１孔部が形成され、側部支持板には左右の離間位置に高さ方向に長い一対の第２孔部が形成され、各第２孔部に挿通した第２ボルトを基礎体の上部のボルト穴に挿通して専用調整金具の高さ及び取付角度を調整した状態で締結する一方、専用固定金具は、小片部材の一辺に下方に向けて屈曲した屈曲辺を有すると共に、小片部材の面内の中央に丸形の案内孔部を形成してなり、専用調整金具の上部支持板に上載した架台用梁材のフランジ側端部に各専用固定金具の下面を当てて該フランジ面上を係止すると共に、夫々の専用固定金具の案内孔部に挿通した第１ボルトを専用調整金具の各第１孔部に挿通して架台用梁材の傾き調整を行った状態で締結することにより、複数の基礎体の上部に架台用梁材を水平状態に固定するようにしたことを特徴とする架台基礎用金具。
【請求項２】
上部支持板と側部支持板とは長手方向の中央位置で互いに補強用リブで結合されていることを特徴とする請求項１記載の架台基礎用金具。
【考案の詳細な説明】
【技術分野】
【０００１】
本考案は、地盤に打設した基礎体の上部に架台を介して太陽電池モジュール等を設置する際に使用する架台基礎用金具に関する。
【背景技術】
【０００２】
従来から、太陽光発電基礎（ＰＶ基礎）等のように、太陽電池モジュール等を屋外に設置する際、地盤に杭基礎を打設し、その上端に梁材等の架台を固定して太陽電池モジュール等を取り付けることが行われている。
【０００３】
そのような太陽光発電基礎の従来例として、特許文献１を参照する。この特許文献１に記載されている太陽電池パネルの据え付け構造は、コンクリート又は鉄筋コンクリート製のブロック状の基礎を形成して地盤に設置するか、又は基礎の下部を尖端形状に形成して地盤に食い込ませた状態に施工するように構成されている。また、基礎の上部に取付け金具を介して架台を固定する際、架台をアンカーボルトで基礎に固定し、各基礎間を連結部材で連結することによって、夫々の基礎を強固に固定するようにしている。
【０００４】
ところが、この特許文献１において、地盤に設けた各基礎の高さや傾きにばらつきが生じた場合、そのばらつきを調整する手段を備えていないため、各基礎の上部に設ける架台にガタが発生する等の不都合が生じる。
【０００５】
また、特許文献２に記載されている太陽光電池モジュールの設置用架台は、地上又は陸屋根に複数個のブロックを設置し、各ブロックの上部にフレーム材を組んで架台本体を構成し、その架台本体上に太陽電池モジュールを設けるようにしたものである。
【０００６】
ところが、このような構成において、各ブロックの上部に架台本体を取り付けるために、コンクリートで形成するブロックの不陸調整や養生が必要となり、施工に手間を要することとなる。また、架台本体や太陽光電池モジュールの取付位置を正確に位置出しする必要があり、施工が面倒となる欠点があった。
【先行技術文献】
【特許文献】
【０００７】
【特許文献１】特開平９−７０１８８号公報
【特許文献２】特開平１１−１７７１１４号公報
【考案の概要】
【考案が解決しようとする課題】
【０００８】
本考案は上記の事情に鑑みてなされたものであり、地盤に設けた基礎体の上部に架台用梁材を介して太陽電池モジュール等を設置する際、基礎体の高さや傾き等の施工誤差を簡単な作業によって調整することができるようにした架台基礎用金具を提供することを目的とする。
【課題を解決するための手段】
【０００９】
上記の目的を達成するために、本考案の請求項１の架台基礎用金具は、地盤に設けた複数の基礎体の上部に専用調整金具を固定すると共に、専用調整金具に取り付けた専用固定金具で架台用梁材を固定するようにした架台基礎用金具において、専用調整金具は、長片部材を短辺方向に鉤状に湾曲してなる上部支持板と、該上部支持板の長辺側から下方に垂下してなる側部支持板とから形成され、上部支持板には長辺方向の離間位置に長辺方向に長い一対の第１孔部が形成され、側部支持板には左右の離間位置に高さ方向に長い一対の第２孔部が形成され、各第２孔部に挿通した第２ボルトを基礎体の上部のボルト穴に挿通して専用調整金具の高さ及び取付角度を調整した状態で締結する一方、専用固定金具は、小片部材の一辺に下方に向けて屈曲した屈曲辺を有すると共に、小片部材の面内の中央に丸形の案内孔部を形成してなり、専用調整金具の上部支持板に上載した架台用梁材のフランジ側端部に各専用固定金具の下面を当てて該フランジ面上を係止すると共に、夫々の専用固定金具の案内孔部に挿通した第１ボルトを専用調整金具の各第１孔部に挿通して架台用梁材の傾き調整を行った状態で締結することにより、複数の基礎体の上部に架台用梁材を水平状態に固定するようにしたことを特徴とする。
【００１０】
また、本考案の請求項２の架台基礎用金具は、請求項１において、上部支持板と側部支持板とは長手方向の中央位置で互いに補強用リブで結合されていることを特徴とする。
【考案の効果】
【００１１】
本考案の架台基礎用金具によれば、地盤に設けた基礎体の上部に架台用梁材を介して太陽電池モジュール等を設置する際、基礎体の高さや傾き等の施工誤差を簡単な作業によって調整することが可能となる。
【００１２】
即ち、地盤に設けたいずれかの基礎体の上端の高さが他の基礎体に対して異なる場合、その高さだけ専用調整金具を引き上げるか又は引き下げる作業によって、専用調整金具の高さを調整し、所定の高さとすることができる。
【００１３】
また、いずれかの基礎体が地盤に対して傾斜した状態に打設された場合、基礎体の傾きに対して専用調整金具を回動することにより、専用調整金具を水平状態に調整することが可能となる。
【００１４】
従って、作業者は、第１ボルトとナットの締結及び第２ボルトとナットの締結を緩くしておき、各架台用梁材を平行に調整した状態で、夫々のボルトとナットを締結するという簡単な作業によって、基礎体の修正を行わなくても、基礎体の鉛直方向の高さと水平方向の施工位置や傾きの誤差を調整し、各架台用梁材を所定の施工位置に水平に施工することが可能となる。
【図面の簡単な説明】
【００１５】
【図１】本考案の実施例に係る架台基礎用金具を基礎体に取り付けた状態を示す斜視図である。
【図２】本考案の実施例に係る専用調整金具を示す図であり、（ａ）は斜視図、(ｂ)は上面図、(ｃ)は側面図、(ｄ)は端面図である。
【図３】本考案の実施例に係る専用固定金具を示す図であり、（ａ）は斜視図、(ｂ)は側面図、(ｃ)は上面図、(ｄ)は屈曲辺側の側面図である。
【図４】本考案の実施例に係る架台基礎用金具を傾斜した基礎体に取り付けた状態を示す正面図である。
【図５】本考案の実施例に係る架台基礎用金具を基礎体に取り付けた状態を示す平面図である。
【図６】（ａ）は本考案の実施例に係る架台基礎用金具を基礎体に取り付けた状態において高さ調整を行う場合の施工図であり、(ｂ)は基礎体の傾きに対して調整を行う場合の施工図である。
【考案を実施するための形態】
【００１６】
本考案の実施例について図面を参照しながら説明する。
【実施例】
【００１７】
本考案の架台基礎用金具１の概要について説明すると、図１に示すように、基礎体２の上部に専用調整金具３、３を固定すると共に、各専用調整金具３に取り付けた専用固定金具４で架台用梁材５を固定し、各架台用梁材５の上部に不図示の太陽電池モジュール等を水平状態に設置することを可能としたものである。
【００１８】
なお、本実施例において、架台用梁材５の上部に設ける装置としては太陽電池モジュールを例に挙げているが、架台用梁材５の上部に取り付けることが可能な他の装置に対しても適用可能である。
【００１９】
また、図１は１個の基礎体２を図示してあるが、本実施例においては地盤Ｇ（図６(ａ)(ｂ)参照）に打設された複数の基礎体２の高さや傾きに応じて架台基礎用金具１の傾きや高さを調整することにより、その上部に固定する架台用梁材５を平行に取付けることを可能とするものである。
【００２０】
このような構成において、専用調整金具３は、図２（ａ）〜(ｄ)に示すように、金属製板部材等による長片部材３ａの短辺方向に鉤状に湾曲してなる上部支持板６と、この上部支持板６の長辺側から下方に垂下してなる側部支持板７とから形成されている。また、これらの上部支持板６と側部支持板７とは、長手方向の中央位置で互いに補強用リブ７ａで結合されている。なお、上部支持板６を鉤状に湾曲した形状は、上部支持板６の自由端側の長辺に沿って下方に屈曲した鉤部６ａによって形成されている。また、補強用リブ７ａは、上部支持板６と側部支持板７とが略直角の角度で屈曲された形状を保持する補強部材として作用するが、上部支持板６と側部支持板７の板厚を確保する等により、補強用リブ７ａを設けない構造としてもよい。
【００２１】
また、専用調整金具３の上部支持板６には、その長辺方向の離間位置に長辺方向に長い一対の第１孔部８、８が形成され、夫々の第１孔部８、８には、後述する第１ボルト１５を挿通することが可能とされている。さらに、専用調整金具３の側部支持板７には、左右の離間位置に高さ方向に長い一対の第２孔部９、９が形成され、各第２孔部９、９には、後述する第２ボルト１６を挿通することが可能とされている。
【００２２】
一方、専用固定金具４は、図３（ａ）〜(ｄ)に示すように、金属製等による矩形をなす小片部材４ａの一辺に下方に向けて屈曲した屈曲辺１１を形成すると共に、小片部材４ａの面内の中央に丸形の案内孔部１０を形成した構成とし、案内孔部１０に、後述する第１ボルト１５を挿通することを可能している。
【００２３】
以下、上記のように構成された専用調整金具３と専用固定金具４とから成る架台基礎用金具１を用いた施工方法について述べる。
【００２４】
図４又は図５に示すように、地盤等に打設したＨ型鋼等のような杭基礎からなる基礎体２の上端付近にボルト穴１４を形成し、このボルト穴１４に専用調整金具３の側部支持板７の第２孔部９を合わせる。そして、第２ボルト１６を側部支持板７の第２孔部９に挿通すると共に、基礎体２のボルト穴１４に挿通し、第２ボルト１６にナット１８（図５参照）を螺入する。ただし、このナット１８は、後述するように、架台用梁材５の高さ及び傾きを調整する際に備え、第２ボルト１６に対して緩やかに止めた状態にする。
【００２５】
また、図４及び図５に示すように、上記の専用調整金具３の上部支持板６に架台用梁材５を上載し、この架台用梁材５の両側のフランジ５ｆ、５ｆの上面に各専用固定金具４、４の下面１３を当ててフランジ５ｆ、５ｆの面上を係止する。また、各専用固定金具４、４の屈曲辺１１の下端部１２を上部支持板６の面上に当接する。さらに、専用固定金具４、４の各案内孔部１０に挿通した第１ボルト１５を専用調整金具３の上部支持板６の各第１孔部８、８に挿通して、架台用梁材５の傾き調整を行い、ナット１６で締結することにより、基礎体２と架台用梁材５とを水平に固定することが可能となる。
【００２６】
また、このような施工において、第１ボルト１５に対するナット１７、及び第２ボルト１６に対するナット１８を締結する前の状態において、図６（ａ）に示すように、いずれかの基礎体２の上端の高さが他の基礎体２に比較して高さｈだけ異なる場合、その高さｈだけ専用調整金具３を引き上げるか又は引き下げることによって、専用調整金具３の高さを調整し、所定の高さとすることができる。
【００２７】
一方、図４に示す基礎体２は、その中心の軸線Ｃが垂直線Ｖに対して傾き角度αだけ傾いた状態を示すものである。このような基礎体２の傾きに対して、ボルト１６、１６を緩めた状態で、専用調整金具３の傾きを調整することによって、専用調整金具３の上部支持板６を長手方向に対して水平状態に調整することが可能となる。
【００２８】
従って、図６(b)に示すように、いずれかの基礎体２が地盤Ｇに対して傾斜した状態に打設された場合、上記の図４に示すように、基礎体２の傾きに対して専用調整金具３の傾きを調整した後、左右のボルト１６、１６に対してナット１８、１８（図５参照）を締結することによって、専用調整金具３を長手方向に対して水平状態に固定することが可能となる。
【００２９】
本実施例の架台基礎用金具は、上記のように構成されているため、作業者は、基礎体２の高さや傾き等に誤差がある場合でも、その基礎体２の修正を行うことなく、上記のように専用調整金具３及び専用固定金具４の傾きや高さを調整し、第１ボルト１５とナット１７の締結、及び第２ボルト１６とナット１８の締結を行うことによって、各架台用梁材５を平行な固定状態にすることが可能となる。
【産業上の利用可能性】
【００３０】
本考案の架台基礎用金具は、地盤に設けた基礎体の上部に架台用梁材を介して太陽電池モジュール等を設置する際、基礎体の高さや傾き等の施工誤差を簡単な作業によって調整することができるようにした架台基礎用金具として利用可能である。
【符号の説明】
【００３１】
１  架台基礎用金具
２  基礎体
３  専用調整金具
３ａ  長片部材
４  専用固定金具
４ａ  小片部材
５  架台用梁材
５ｆ  フランジ
６  上部支持板
６ａ  鉤部
７  側部支持板
７ａ  補強用リブ
８  第１孔部
９  第２孔部
１０  案内孔部
１１  屈曲辺
１２  下端部
１３  下面
１４  ボルト穴
１５  第１ボルト
１６  第２ボルト
１７  ナット
１８  ナット
Ｃ  軸線
Ｇ  地盤
Ｖ  垂直線
α  傾き角度
【図１】
0003192327.tif 000003
【図２】
0003192327.tif 000004
【図３】
0003192327.tif 000005
【図４】
0003192327.tif 000006
【図５】
0003192327.tif 000007
【図６】
0003192327.tif 000008